(57)【要約】      （修正有）【課題】占有空間が少なく、浴室に常設しても邪魔にならない背中洗い機を提供する。    【解決手段】基盤２と開閉盤１の二盤をバネ４の付勢で解放設置するように一端を軸着し、他端をチエン５等の手繰り作用で閉じる様にし、両盤間に開閉・擦り・バネ強弱・左右振り等の背中洗浄に必要な各駆動機構を平面配置する。【選択図】図１
2011136134.tif 000002
【特許請求の範囲】
【請求項１】
バネの付勢で開閉する基盤と開閉盤を設け、両者をチエンまたはテープ等で繋ぎ、当該チエン等を手繰り寄せで閉じるように構成した背中洗い機。
【請求項２】
送りネジ・チエン・ベルト・ラックピニオン等で昇降する昇降盤に、フックとスナップで着脱自在に取付けた基盤を持つ請求項１の背中洗い機。
【請求項３】
開閉機構、洗浄圧可変機構、洗浄具擦り機構、反転機構等を基盤と開閉盤の狭間に平面設置した請求項１の背中洗い機。
【請求項３】
開閉機構、洗浄圧可変機構、洗浄具擦り機構、反転機構等を基盤と開閉盤の狭間に平面設置し、両盤の周囲を伸縮自在のカバーで覆った請求項１の背中洗い機。
【請求項４】
基盤と軸着設置した開閉盤に左右振り作用をする反転杆を取付け、当杆に洗浄具擦り機構を設置した構成の請求項１の背中洗い機。
【請求項５】
開閉盤自体に洗浄具の擦り機構を設置し、基盤は昇降板に反転振り作用をするように固定またはフックスナップ・ネジカギ止め等で着脱自在に軸着した構成の請求項１の背中洗い機。
【請求項６】
バネ座の取付け位置を手動レバー或いは電動で可変自在とし、洗浄圧を強弱調整できるようにした洗浄圧可変機構を備えた請求項１の背中洗い機。
【請求項７】
昇降・洗浄圧可変機構・アームの反転機構・擦り機構等をギヤドモータでそれぞれ単独ユニットとし、昇降板・開閉盤・基盤あるいはアームに分散設置し、開閉盤が基盤に閉じたとき、各機構が重なることなく同一平面状に嵌り、偏平収納する様に構成した請求項１の背中洗い機。
【発明の詳細な説明】
【技術分野】
【０００１】  本発明は、集合住宅など狭い浴室や、さらに狭いシャワールームでも設置でき、皮膚の状態により、洗浄圧を変えたり痒い処など同一場所を反復したり、人手洗い同様、希望通りに作動する背中洗い機に関する。
【背景技術】
【０００２】  従来の背中洗いは、普通タオル等で自身が襷洗いするか、長柄付きブラシで洗う方法しかない。【０００３】  機械による背中洗い機は、出願公報を介し多くの発明があることは承知しているが、文献から見る装置の主流は椅子型で、背当て部に、背幅を覆う回転ブラシを昇降設置し、その電動駆動装置は腰掛け部である筺体に内蔵されている。
故に使用するには椅子を置く面積が必要で、病み上りか高齢で体力の衰えた人を対象とした介護施設用である。
本発明は、働き盛りの人が１日の疲れを癒し、明日への活力を養うもので、手が回し難い背中を、人手洗い同様、思い通りに洗える家庭用で、狭い浴室に常設して使用するから、設置占有空間は著しく小さい事が必要である。【０００４】  そこで、狭小浴室に該当する装置を特許出願しているが（特許文献１を参照）、樹脂成形による筺体に、硬軟任意の洗浄具を着脱自在に付けたアームを、前倒、左右振り、擦り（または回転）、洗浄圧加減等に加え、浴室壁面に沿って昇降する様にし、人手による手洗い同様の機能を持たせたものである。
即ち、前出願では、当該各機構を耐水絶縁するため、同一基台内にまとめて内封し、各々複数の出力軸が反転動作により捻じれ干渉を起こさぬよう、太さを段階的に変えたパイプ軸を重ねて嵌合し、一本の同芯多軸として駆動したものであった。【０００５】
【特許文献１】特開２００９−１６５７９３
【発明の表示】
【発明が解決しようとする課題】
【０００６】  このうち公報に見られる機械式は、体力の無い人の福祉用で、広い浴室向きでそれなりに有効であるが、家庭浴室には大きすぎ設置できない。
特許文献１は、今回発明の主旨は同じで、占有空間も充分少く実用上支障ないが、設置浴室壁面からの突出をさらに低くし、使用位置に放置しても存在が気にならず、鏡や洗浄具収納棚にも組込め、アイテムの多角化を計ろうとするものである。
然して本発明は、当該発明にある同芯多軸を廃し前後の伝達機構も簡潔にし、更なる占有空間を減らすことを目的にしたものである。
【課題を解決するための手段】
【０００７】  本発明は、上記目的を達成するため、基盤と開閉盤の二盤をバネの付勢で開放設置するように一端を軸着し、他端をチエン等の手繰り作用で閉じる様にし、両盤間に開閉・擦り・バネ強弱・左右振り等の背中洗浄に必要な各駆動機構を平面配置し、浴室壁面からの突出高さを極力低く改善した。
さらに、基盤は昇降板にフック・スナップ付けで着脱自在とし、使わない時は、外して浴室外に保管もできる。
また、擦り機構は、１）洗浄具（ブラシ・スポンジ等）を着脱自在に取付けたアームを開閉盤に左右に振らせるように振杆を介す方法と、２）同アームは開閉盤に直付けし、基盤自体を昇降板に左右振り作用をするようにする２つの方法がある。
【０００８】  洗浄具の擦り作用は、此処ではギヤドモータの可逆でアーム自体を上下動する機構を図示しているが、クランク・ピストン機構などで実施する事も自由である。
また、洗浄具は上下動ではなく回転による擦り作用も有効である。
【０００９】  洗浄圧はバネ座の固定位置を可変し実施できるが、引きバネなら留具を長ネジで前後加減するが、ネジリバネなら楔をバネの腕部に挟み、その高さをカムやクランクピンの回転や長ネジの伸縮で調整することもできる。
壁面昇降はチエン・ベルト・ロングネジ・ラック等の駆動機構を基盤に直結するのもよく、基盤を着脱できる昇降板に設けてもよい。
基盤をフック・スナップで着脱できるようにすれば、装着向きは上下逆にもでき、洗浄具を床面近くに降下させて、床に直座り姿勢でも使用することができる。
【００１０】  何よりも、漏電事故防止が最大の課題であるが、各駆動機構はギヤドモータを個々に樹脂カバーで密閉し、外接の末端機構との接続丸軸に、Ｏリング等の防水クッションを嵌めることで容易に防水できる。
さらに、開閉盤と基盤間の周辺は蛇腹・伸縮部材等の防水カバーで塞げば、個々の駆動機構の防水処理を排してもよく、省部品、機体厚みの削減ができる。
かようにして、二枚盤の開閉・アームの振り・バネ強度可変・昇降等の各機構と末端機能部品を直結したことで、主に基盤にギヤドモータによる駆動機構を平面設置ができ、最小厚みにし、組立の簡素化、防水漏電、点検簡易化の効下を得た。
【発明の効果】
【００１１】  上述したように、本発明の背中洗い機は、開閉盤と基盤２盤間に駆動機構を挟設したので特許文献１にある同芯多軸と前後のギヤ機構分の厚みが省け薄くできた。
バネの付勢で開放する二盤の軸の反対側に、チエンの巻上げ解き機構を介した開閉動作は、チエン設置位置と開閉軸間距離が大きくなり、伝導力は距離に反比例するからギヤドモータの負荷は小さくでき、当モータは一段と小さくできる効果がある。
【００１２】  また軽量ゆえに、フック・スナップで着脱でき、浴室外に仕舞たり、清掃手入れや衛生保管に便利な効果がある上、逆付けで洗浄具を床まで下げ、椅子を用いず直座りでも使える効果もある。
さらに、開閉・基盤間に防水カバーを付したときは、各機構に被せた防水カバーを省略し省部品・省工数と一層の薄厚化もできる。
【００１３】  超越した薄型は占有空間が気にならない優位性に留まらず、鏡や洗剤収納器等の浴室機器一体組込みもでき、狭い浴室の整頓効果も得てあらゆるニーズの顧客に対応できるアイテム拡張効果も生ずる。
時には、開閉盤に設置すべき振り、当盤かアームに設置すべき擦りユニット機構を末端部品と離し、駆動機構部を基盤に固定し、軸にスパイラルギヤの様な直交歯車連係で間接接続を混在させても出力軸の防水ができ、一平面載置と配線の動作に伴う屈曲断線を防止する効果もある。
【００１４】  ユニット化は、仕様により駆動機構の着脱増減ができるので、顧客希望による機能増減が容易で、多様な品揃えが軽負担で実施でき、生産性と品質向上、在庫調整も楽にできる効果は大きい。
背中の洗浄は、無暗に擦ると皮膚の角質を破戒し、乾燥肌にし痒みの原因になるが、バネ座の位置調整で適度の洗浄圧加減が出来、皮膚の保護健康管理など本発明ならではの効果は大きい。
【００１５】  何よりも、入浴で一番煩わしいことは、手が思うように回らない背中洗いで、特に疲れていると億刧になり、つい手抜きし、後に背中汚れで気持ち悪く・痒み・臭みが気になり翌日仕事に集中出来なくなる問題は、楽しく楽に使え億刧解消と活力再生に有効である。
設置壁面からの突出高さは極めて低く、放置状態でも邪魔にならないが、さらにボタン操作で、天井付近に自動格納もできることは手間が掛らず飛水防止ができる。
できれば人に洗って貰うことが最良であるが、毎日はかなわぬこと、本発明によれば占有空間が極めて小さく、狭小家庭浴室で人による手洗い同様の動作制御で思い通りに気兼ねなく洗える効果は素晴らしい。
【発明を実施するための最良の形態】
【００１６】  以下、本発明の基本的実施形態を図に沿って説明する。【００１７】  開閉盤１と基盤２を一端に軸３で開閉自在に軸着し、両者はバネ４の付勢で常時開く様に設置する。  この他端は、チエン５（ステンレスワイヤー・テープ等）で繋ぎ、その長さで開き角が設定され、手繰り寄せ作用で閉るようにしている。
両盤１・２の開口周囲は、伸縮皮膜か蛇腹などの防水カバー６で被覆し、この狭間は、洗浄具７（スポンジ・ブラシ等）の擦り・振り・昇降・洗浄圧等の各駆動機構及び開閉機構を平面状に設置する空間である。
さらに、基盤２はガイド８に沿って浴室壁面Ｂを昇降する昇降板９に、フックとスナップで容易に着脱できるように取付けるが、当板９は省略し基盤２自体に壁面昇降機能を持たせてもよい。【００１８】  本発明は、特許文献１では、防水筐体である基台に、複数の駆動機構を内封し、同芯多軸に一防水環を嵌めて漏電防止をし、基台外の洗浄末端機構を駆動していたが、当台を無くした機構が本発明で、その分、壁面よりの突出高さを大幅に減らすことになる。
洗浄具７はアーム１０の先端に着脱自在にスナップ止めしたもので、掌握できる程度の小さいものであるから、当然左右に振らないと背中は洗えず、この振り方は２実施例を以下に説明する。
【実施例１】
【００１９】  上記は、２例の共通部分の実施形態であったが、図１〜図３及び図６で振り動作の実施例１を説明する。
１１は反転軸で、防水環１２（各駆動機構の出力軸及び末端機構の防水）を嵌め、防水カバーに内封した反転機構１３の出力軸を振杆１４に直結する。
また軸３に、図示しないがスパイラルギヤや傘歯車等、直交ギヤを２組設置し、その一つに基盤２に設置した反転機構１３の出力軸を、二つ目は開閉盤１に付けた反転軸１１に連係させ間接設置し、洗浄具７を振杆１４で左右に振る作用をする。
これは反転機構１３が基盤２に固定でき、厚みの改善、モータ配線に屈曲負担を掛けず断線防止をする。
【実施例２】
【００２０】  図４・５・７で実施例２を説明すると、１５は昇降盤９に植設した主軸で、これに基盤２を反転着脱自在に圧入しフック・スナップ付けする。
而して、反転駆動するには、昇降板９には部分歯車１６を形成し、噛合うピニオン１７は、基盤２に固定した反転機構１３’の出力軸を接続し可逆させる事例を示した。
ここで各機構をまとめると、ギヤドモータの駆動部とチエン巻上げ解き・バネ座の位置可変・擦りの洗浄具ピストン運動または可逆回転等の擦り作用・昇降動作・左右の振り作用等々の末端部を直結一体化し、開閉二盤間に一平面設置して総体厚みを最低薄さにするが、時には二盤の開閉軸を介し、スパイラル・傘歯車等の直交軸で二盤の開閉角に順応させ末端部と間接接続を混在させる等で偏平化した。
さらに、末端機構例を説明すると、擦り機構１８はギヤドモータ出力軸に長ネジ１９を直結し、アーム１０である円筒のネジカバーに付けた雌ネジが当該長ネジ１９の可逆螺合し上下動させて擦り作用をする。
この場合ラックピニオンやベルト等でも同様作用を得られるが、クランク・ピストン運動を利用する事もできる。【００２１】  開閉機構２０は軸３を介してバネ４の付勢で開く様に取付けてあるから、何らの拘束が無い限り開放であるが、両間を繋いだチエン５を手繰れば閉作用をし、ここでは基盤２側に巻車２１を設け、チエン５を捲込み閉じるようにした。
洗浄圧可変は、バネ４の取付け座の変位で決まるから、この変位をカム・クランク等の機構で調整するが、本図では、引きバネ４のフックを雌ネジに付け、これに螺合する長ネジ２２を洗浄圧加減機構２３の出力軸に直結し可逆可変する図を描いた。
昇降機構は、ガイド８に搬送長ネジ２４を適宜可逆設置し、螺合する雌ネジを昇降板９に付けて実行した。【００２２】  本発明の動作は、洗浄開始位置に於いて、洗剤を塗布した洗浄具７をアーム１０の先端に装着、スタートボタンを押す。
巻車２１は回動しチエン５を解き開閉盤１が前に倒れ開く作用をし、その過程で洗浄具７は背中Ａに接触するが、当動作が検知されると擦り・振り・降下動作が印加駆動される。
途中、痒い所が有れば同位置に留め反復擦り作用をし、時には洗浄圧を加減したいこともあるが任意の電気信号で制御できる。
背洗いは、洗浄具７が下限に至り完了するが、装置を外し清掃し浴室外の保管場所に仕舞うもよく、ボタン操作で天井付近などの格納部に自動収納をさせてもよい。
一連の動作はワンチップマイコン等に入力するプログラムで、任意に設定でき変えられ、上記の動作はその一例にすぎない。
尚、Ｃは動作前の洗浄具７、Ｄは背中に圧着した洗浄具７である。【００２３】  以上の形態によれば、１）開閉二盤１・２に各機構を平面配置で挟持し、浴室壁面Ｂからの突出高さを最低に抑えられ、洗浄位置に放置しても何ら邪魔にならないが、外して浴室外に衛生保管もでき、２）動作は人に流してもらう時同様、希望のままに作動する。３）皮膚の状態に合わせ洗浄圧を変え健康管理をする。４）疲れていても装置まかせで楽しく楽に洗へる。５）翌日に気持ち悪さを引きずらないなど数々の効果を得る。
【図面の簡単な説明】
【００２４】
【図１】本発明の実施例１を示す背中流し機の図３Ａ−Ａ断線に沿った開放縦断面図
【図２】同背中流し機図１を畳み搬送台から外した縦断面図
【図３】同背中流し機の開閉盤を開いた平面図
【図４】本発明の実施例２を示す背中流し機の図５のＢ−Ｂ断線に沿った開放縦断面図
【図５】同背中流し機の平面図
【図６】図３の平面図のＣ−Ｃ断面図に沿った横断面図
【図７】図５の平面図のＤ−Ｄ断面図に沿った横断面図
【符号の説明】
【００２５】    １    開閉盤
２    基盤
３    軸
４    バネ
５    チエン
６    防水カバー
７    洗浄具
９    昇降板
１０  アーム
１３・１３’  反転機構
１４  振杆
１５  主軸
１６  部分歯車
１７  ピニオン
１８  擦り機構
２０  開閉機構
２１  巻車
２３  洗浄圧可変機構
Ａ    背中
Ｂ    浴室壁面
【図１】
2011136134.tif 000003
【図２】
2011136134.tif 000004
【図３】
2011136134.tif 000005
【図４】
2011136134.tif 000006
【図５】
2011136134.tif 000007
【図６】
2011136134.tif 000008
【図７】
2011136134.tif 000009
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
バネの付勢で開閉する基盤と開閉盤を設け、両者をチエンまたはテープ等で繋ぎ、当該チエン等を手繰り寄せで閉じるように構成した背中洗い機。
【請求項２】
送りネジ・チエン・ベルト・ラックピニオン等で昇降する昇降盤に、フックとスナップで着脱自在に取付けた基盤を持つ請求項１の背中洗い機。
【請求項３】
開閉機構、洗浄圧可変機構、洗浄具擦り機構、反転機構等を基盤と開閉盤の狭間やその周辺に配置した請求項１の背中洗い機。
【請求項４】
基盤と開閉盤間に伸縮自在のカバーで覆い、この中に開閉、洗浄圧可変、洗浄具擦り、反転等の各機構を防水設置した請求項１の背中洗い機。
【請求項５】
基盤と軸着設置した開閉盤に左右振り作用をする振杆を取付け、当杆に洗浄具擦り機構を設置した構成の請求項１の背中洗い機。
【請求項６】
開閉盤自体に洗浄具の擦り機構を設置し、基盤は昇降板に反転振り作用をするように固定またはフックスナップ・ネジカギ止め等で着脱自在に軸着した構成の請求項１の背中洗い機。
【請求項７】
バネ座の取付け位置を手動レバー或いは電動で可変自在とし、洗浄圧を強弱調整できるようにした洗浄圧可変機構を備えた請求項１の背中洗い機。
【請求項８】
昇降・開閉・洗浄圧可変・アーム反転・擦り機構等を各々ギヤドモータでユニット化し、開閉盤が基盤に閉じたとき、各機構が重なることなく嵌合し、平面状に載置した構成の請求項１の背中洗い機。